【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
画面上に表示された特定のフォルダに、文書ファイルがドラッグアンドドロップされた場合に、該文書ファイルを、該フォルダと関連づけて設定された設定情報とともに印刷装置に送信する送信手段を備える情報処理装置であって、
前記文書ファイルがドラッグアンドドロップされた場合に、該文書ファイルが、認証処理を必要とする文書ファイルであるか否かを判定する判定手段を備え、
前記送信手段は、前記判定手段において認証処理を必要とする文書ファイルであると判定された場合に、前記印刷装置において該文書ファイルの印刷可否を判断するために用いられる認証情報を、前記設定された設定情報に含めて送信することを特徴とする情報処理装置。
【請求項２】
前記判定手段は、前記文書ファイルのヘッダ部に認証情報が記載されているか否かに基づいて認証処理を必要とする文書ファイルであるか否かを判定することを特徴とする請求項１に記載の情報処理装置。
【請求項３】
認証情報を前記フォルダと関連づけて設定する設定手段を更に備え、前記判定手段において認証処理を必要とする文書ファイルであると判定された場合に、前記送信手段は、前記設定手段により設定された認証情報を、前記印刷装置において該文書ファイルの印刷可否を判断するために用いられる認証情報として前記設定情報に含めて送信することを特徴とする請求項１に記載の情報処理装置。
【請求項４】
前記判定手段において認証処理を必要とする文書ファイルであると判定された場合に、ユーザに対して前記文書ファイルのヘッダ部に記載された認証情報の入力を促す入力画面を表示する表示手段を更に備え、
前記送信手段は、前記入力画面を介してユーザが入力した認証情報を、前記印刷装置において該文書ファイルの印刷可否を判断するために用いられる認証情報として前記設定情報に含めて送信することを特徴とする請求項２に記載の情報処理装置。
【請求項５】
画面上に表示された特定のフォルダ上に、文書ファイルがドラッグアンドドロップされた場合に、該文書ファイルを、該フォルダと関連づけて設定された設定情報とともに送信する送信手段を備える情報処理装置と通信可能に接続され、印刷装置に印刷を指示する制御装置であって、
前記送信手段により送信された前記設定情報と前記文書ファイルとを受信する受信手段と、
前記設定情報に、前記フォルダと関連づけて設定された所定の認証情報が含まれていた場合に、ユーザに対して、該所定の認証情報の入力を促す入力画面を表示する表示手段と、
前記入力画面を介して、前記所定の認証情報が入力された場合に、前記文書ファイルから前記設定情報に基づいて印刷データを生成し、前記印刷装置に印刷させる印刷手段と
を備えることを特徴とする制御装置。
【請求項６】
前記文書ファイルが認証処理を必要とする文書ファイルであった場合であって、前記設定情報に、前記文書ファイルのヘッダ部に記載されていた認証情報が含まれていた場合に、前記印刷手段は、該認証情報を用いて印刷データを生成し、前記印刷装置に印刷させることを特徴とする請求項５に記載の制御装置。
【請求項７】
画面上に表示された特定のフォルダに、文書ファイルがドラッグアンドドロップされた場合に、該文書ファイルを、該フォルダと関連づけて設定された設定情報とともに印刷装置に送信する送信手段を備える情報処理装置と、該情報処理装置と通信可能に接続され、印刷装置に印刷を指示する制御手段と、を備える印刷システムであって、
前記情報処理装置は、
前記文書ファイルがドラッグアンドドロップされた場合に、該文書ファイルが、認証処理を必要とする文書ファイルであるか否かを判定する判定手段を備え、
前記送信手段は、前記判定手段において認証処理を必要とする文書ファイルであると判定された場合に、前記印刷装置において該文書ファイルの印刷可否を判断するために用いられる認証情報を、前記設定情報に含めて送信し、
前記制御装置は、
前記送信手段により送信された前記設定情報と前記文書ファイルとを受信する受信手段と、
前記設定情報に、前記フォルダと関連づけて設定された所定の認証情報が含まれていた場合に、ユーザに対して、該所定の認証情報の入力を促す入力画面を表示する表示手段と、
前記入力画面を介して、前記所定の認証情報が入力された場合に、前記文書ファイルを前記設定情報に基づいて前記印刷装置に印刷させる印刷手段と
を備えることを特徴とする印刷システム。
【請求項８】
画面上に表示された特定のフォルダに、文書ファイルがドラッグアンドドロップされた場合に、該文書ファイルを、該フォルダと関連づけて設定された設定情報とともに印刷装置に送信する送信工程を備える情報処理方法であって、
前記文書ファイルがドラッグアンドドロップされた場合に、該文書ファイルが、認証処理を必要とする文書ファイルであるか否かを判定する判定工程を備え、
前記送信工程は、前記判定工程において認証処理を必要とする文書ファイルであると判定された場合に、前記印刷装置において該文書ファイルの印刷可否を判断するために用いられる認証情報を、前記フォルダと関連づけて設定された設定情報に含めて送信することを特徴とする情報処理方法。
【請求項９】
前記判定工程は、前記文書ファイルのヘッダ部に認証情報が記載されているか否かに基づいて認証処理を必要とする文書ファイルであるか否かを判定することを特徴とする請求項８に記載の情報処理方法。
【請求項１０】
認証情報を前記フォルダと関連づけて設定する設定工程を更に備え、前記判定工程において認証処理を必要とする文書ファイルであると判定された場合に、前記送信工程は、前記設定工程により設定された認証情報を、前記印刷装置において該文書ファイルの印刷可否を判断するために用いられる認証情報として前記設定情報に含めて送信することを特徴とする請求項８に記載の情報処理方法。
【請求項１１】
前記判定工程において認証処理を必要とする文書ファイルであると判定された場合に、ユーザに対して前記文書ファイルのヘッダ部に記載された認証情報の入力を促す入力画面を表示する表示工程を更に備え、
前記送信工程は、前記入力画面を介してユーザが入力した認証情報を、前記印刷装置において該文書ファイルの印刷可否を判断するために用いられる認証情報として前記設定情報に含めて送信することを特徴とする請求項９に記載の情報処理方法。
【請求項１２】
画面上に表示された特定のフォルダに、文書ファイルがドラッグアンドドロップされた場合に、該文書ファイルを、該フォルダと関連づけて設定された設定情報とともに送信する送信手段を備える情報処理装置と通信可能に接続され、印刷装置に印刷を指示する制御装置における情報処理方法であって、
前記送信手段により送信された前記設定情報と前記文書ファイルとを受信する受信工程と、
前記設定情報に、前記フォルダと関連づけて設定された所定の認証情報が含まれていた場合に、ユーザに対して、該所定の認証情報の入力を促す入力画面を表示する表示工程と、
前記入力画面を介して、前記所定の認証情報が入力された場合に、前記文書ファイルを前記設定情報に基づいて前記印刷装置に印刷させる印刷工程と
を備えることを特徴とする情報処理方法。
【請求項１３】
請求項８乃至１２のいずれか１項に記載の情報処理方法をコンピュータによって実現させるための制御プログラムを格納した記憶媒体。
【請求項１４】
請求項８乃至１２のいずれか１項に記載の情報処理方法をコンピュータによって実現させるための制御プログラム。
【請求項１５】
情報処理装置のユーザインタフェースユニットを介して所定フォルダに対する印刷対象のデータの投入操作がユーザによりなされた場合に、該印刷対象のデータの印刷処理を、前記所定フォルダに関連付けられた印刷装置において実行可能にする、印刷システムにおける情報処理方法であって、
前記所定フォルダに投入されるデータが所定タイプのデータである場合に、所定の認証処理を実行することなしに、該データの印刷処理を、前記所定フォルダに関連付けられた印刷装置において実行することを禁止し、
前記所定フォルダに投入されるデータが所定タイプのデータである場合に、前記所定の認証処理を実行したうえで、該データの印刷処理を、前記所定フォルダに関連付けられた印刷装置において実行可能にする、ことを特徴とする情報処理方法。
【請求項１６】
情報処理装置のユーザインタフェースユニットを介して所定フォルダに対する印刷対象のデータの投入操作がユーザによりなされた場合に、該印刷対象のデータの印刷処理を、前記所定フォルダに関連付けられた印刷装置において実行可能にする、印刷システムにおける情報処理方法であって、
前記所定フォルダに投入されるデータが第１タイプのデータである場合に、該第１タイプのデータの印刷処理を、所定の認証処理を実行したうえで、前記所定フォルダに関連付けられた印刷装置において実行可能にし、
前記所定フォルダに投入されるデータが第２タイプのデータである場合に、該第２タイプのデータの印刷処理を、前記所定の認証処理を実行する事なしに、前記所定フォルダに関連付けられた印刷装置において実行可能にすることを特徴とする情報処理方法。
【請求項１７】
情報処理装置のユーザインタフェースユニットを介して所定フォルダに対する印刷対象のデータの投入操作がユーザによりなされた場合に、該印刷対象のデータの印刷処理を、前記所定フォルダに関連付けられた印刷装置において実行可能にする、印刷システムにおける情報処理方法であって、
前記所定フォルダに投入されるデータが、前記情報処理装置によりデータ操作する際に所定の認証データの入力を必要とするデータである場合に、該情報処理装置によりデータ操作する際に必要な前記所定の認証データが入力されたうえで、該データの印刷処理を、前記所定フォルダに関連付けられた印刷装置において実行可能にする、ことを特徴とする情報処理方法。
【請求項１８】
情報処理装置のユーザインタフェースユニットを介して所定フォルダに対する印刷対象のデータの投入操作がユーザによりなされた場合に、該印刷対象のデータの印刷処理を、前記所定フォルダに関連付けられた印刷装置において実行可能にする、印刷システムにおける情報処理方法であって、
前記所定フォルダに関連づけられている印刷装置に対してセキュアプリントモードの設定がなされている場合で且つ、前記所定フォルダに投入されるデータが、前記情報処理装置によりデータ操作する際に所定の認証データの入力を必要とするデータである場合に、該情報処理装置によりデータ操作する際に必要な前記所定の認証データが入力されたうえで該データの印刷処理を前記所定フォルダに関連付けられた印刷装置において実行可能にする第１シーケンスと、前記セキュアプリントモードにて必要な認証データが入力されたうえで該データの印刷処理を前記所定フォルダに関連付けられた印刷装置において実行可能にする第２シーケンスとを、選択的に実行可能にする、ことを特徴とする情報処理方法。
【請求項１９】
請求項１５乃至１８の何れか１項に記載の情報処理方法を実行することを特徴とする印刷システム。
【請求項２０】
請求項１５乃至１８の何れか１項に記載の情報処理方法をコンピュータによって実現させるための制御プログラム。